(57)【要約】【課題】被供給媒体の供給口に対して開閉自在な媒体支持部の開状態からの閉動作を規制することができる媒体供給機構及びその媒体供給機構を備えた液体噴射装置と記録装置を提供することにある。【解決手段】第一の媒体支持部３１の開状態を保持するロック機構９０を備え、当該ロック機構は、第二の媒体支持部３２の引出時にロック作動し、前記第二の媒体支持部の収納時にロック解除するように前記第一の媒体支持部に設けられている。これにより、開状態の媒体支持部に何らかの外力が閉方向に掛かっても、媒体支持部の閉動作を規制しているので開状態を維持することができ、媒体支持部が供給口の縁部に衝突して破損してしまうような事態を防止することができる。【選択図】図８
2008023838.tif 000002
【特許請求の範囲】
【請求項１】
装置本体に設けられている被供給媒体の供給口に対して開閉自在であり、開状態で前記被供給媒体を支持する第一の媒体支持部と、該第一の媒体支持部に収納・引出自在で、且つ前記被供給媒体の供給方向に伸縮する多段の第二の媒体支持部を備え、前記被供給媒体を媒体供給する媒体供給機構において、
前記開状態を保持するロック機構を備え、当該ロック機構は、前記第二の媒体支持部の引出時にロック作動し、前記第二の媒体支持部の収納時にロック解除するように前記第一の媒体支持部に設けられていることを特徴とする媒体供給機構。
【請求項２】
前記ロック機構は、前記装置本体に対して係止可能なレバー部材と、当該レバー部材を係止方向に付勢する付勢部材と、前記第二の媒体支持部の収納動作により前記レバー部材を前記付勢部材の付勢力に対抗して係止解除方向に押圧し、前記第二の媒体支持部の引出動作により前記レバー部材から離間するカム部材とを備えたことを特徴とする請求項１に記載の媒体供給機構。
【請求項３】
前記レバー部材は、中央部を中心に前記装置本体に向かって揺動自在となるように前記第一の媒体支持部に軸支持されており、一端部に形成された凸部が前記装置本体に形成された長穴部に入り込んで係止することを特徴とする請求項２に記載の媒体供給機構。
【請求項４】
前記付勢部材は、捩りコイルバネであり、一端側が前記第一の媒体支持部に係止され、他端側が前記レバー部材の他端部に係止されていることを特徴とする請求項２又は３に記載の媒体供給機構。
【請求項５】
前記カム部材は、前記第二の媒体支持部に設けられており、前記レバー部材の他端部を押圧することを特徴とする請求項２〜４の何れか一項に記載の媒体供給機構。
【請求項６】
前記ロック機構は、前記装置本体の一側に対して係止可能な第１レバー部材と、当該第１レバー部材を係止方向に付勢する付勢部材と、前記第二の媒体支持部の収納動作により前記第１レバー部材を前記付勢部材の付勢力に対抗して係止解除方向に押圧し、前記第二の媒体支持部の引出動作により前記第１レバー部材から離間するカム部材と、前記装置本体の他側に対して係止可能な第２レバー部材と、前記第１レバー部材にリンクされ、前記第２レバー部材を前記第１レバー部材と連動させるリンク部材とを備えたことを特徴とする請求項１に記載の媒体供給機構。
【請求項７】
被噴射媒体に液体を噴射する液体噴射装置であって、
請求項１〜６の何れか一項に記載の媒体供給機構を備えたことを特徴とする液体噴射装置。
【請求項８】
被記録媒体に記録する記録装置であって、
請求項７に記載の液体噴射装置を備えたことを特徴とする記録装置。
【発明の詳細な説明】
【技術分野】
【０００１】
本発明は、被供給媒体を媒体供給する媒体供給機構及びその媒体供給機構を備えた液体噴射装置と記録装置に関する。
【背景技術】
【０００２】
一般的な記録装置の１つであるインクジェット式プリンタは、背面側上部に給紙部が形成され、前面側下部に排紙部が形成されている。そして、給紙部には用紙を傾斜させた状態で積層支持するペーパーサポートが配設され、排紙部には用紙を水平状態で積層載置するスタッカが配設されている。ペーパーサポートは、例えばＪＩＳ規格のＡ２サイズまでの種々のサイズの用紙を支持する必要があるため、引出・収納可能な多段構造に形成されて配設されている。更に、ペーパーサポートは、給紙口への塵や埃等の侵入を防止するため、給紙口を開閉可能なようにペーパーサポート下部を中心に回動自在に取り付けられている（特許文献１参照）。
【０００３】
【特許文献１】特開２００３−２６７５６０号公報
【発明の開示】
【発明が解決しようとする課題】
【０００４】
上述した従来のインクジェット式プリンタは、記録開始する時にはペーパーサポートを後方に向かって回動させて給紙口を開き、後方へ傾斜して給紙口縁部に当接して停止するまで回動させた後、各段を引き出して用紙をセットする。一方、記録完了した時には余った用紙を取り除いて各段を収納した後、ペーパーサポートを前方に向かって回動させて給紙口を閉じる。ペーパーサポートの開状態、即ち後方へ傾斜して給紙口縁部に当接して停止した状態は、ペーパーサポートの自重により保たれている。このため、開状態のペーパーサポートに何らかの外力が閉方向に掛かってペーパーサポートが前方に傾斜するまで回動した場合、ペーパーサポートは自重により閉方向に向かって回動する。特に、ペーパーサポートの各段が引き出された状態では、重心が高いために上記現象が生じ易い。このような場合、ペーパーサポートは給紙口の縁部に衝突して破損するおそれがある。
【０００５】
本発明は、上記のような課題に鑑みなされたものであり、その目的は、被供給媒体の供給口に対して開閉自在な媒体支持部の開状態からの閉動作を規制することができる媒体供給機構及びその媒体供給機構を備えた液体噴射装置と記録装置を提供することにある。
【課題を解決するための手段】
【０００６】
上記目的達成のため、本発明の媒体供給機構では、装置本体に設けられている被供給媒体の供給口に対して開閉自在であり、開状態で前記被供給媒体を支持する第一の媒体支持部と、該第一の媒体支持部に収納・引出自在で、且つ前記被供給媒体の供給方向に伸縮する多段の第二の媒体支持部を備え、前記被供給媒体を媒体供給する媒体供給機構において、前記開状態を保持するロック機構を備え、当該ロック機構は、前記第二の媒体支持部の引出時にロック作動し、前記第二の媒体支持部の収納時にロック解除するように前記第一の媒体支持部に設けられていることを特徴としている。これにより、開状態の媒体支持部に何らかの外力が閉方向に掛かっても、媒体支持部の閉動作を規制しているので開状態を維持することができ、媒体支持部が供給口の縁部に衝突して破損してしまうような事態を防止することができる。
【０００７】
また、前記ロック機構は、前記装置本体に対して係止可能なレバー部材と、当該レバー部材を係止方向に付勢する付勢部材と、前記第二の媒体支持部の収納動作により前記レバー部材を前記付勢部材の付勢力に対抗して係止解除方向に押圧し、前記第二の媒体支持部の引出動作により前記レバー部材から離間するカム部材とを備えたことを特徴としている。これにより、ロック機構を簡易に構成することができるので、媒体支持部にコンパクトに配設することができる。即ち、前記レバー部材は、中央部を中心に前記装置本体に向かって揺動自在となるように前記第一の媒体支持部に軸支持されており、一端部に形成された凸部が前記装置本体に形成された長穴部に入り込んで係止することを特徴としている。前記付勢部材は、捩りコイルバネであり、一端側が前記第一の媒体支持部に係止され、他端側が前記レバー部材の他端部に係止されていることを特徴としている。前記カム部材は、前記第二の媒体支持部に設けられており、前記レバー部材の他端部を押圧することを特徴としている。
【０００８】
また、前記ロック機構は、前記装置本体の一側に対して係止可能な第１レバー部材と、当該第１レバー部材を係止方向に付勢する付勢部材と、前記第二の媒体支持部の収納動作により前記第１レバー部材を前記付勢部材の付勢力に対抗して係止解除方向に押圧し、前記第二の媒体支持部の引出動作により前記第１レバー部材から離間するカム部材と、前記装置本体の他側に対して係止可能な第２レバー部材と、前記第１レバー部材にリンクされ、前記第２レバー部材を前記第１レバー部材と連動させるリンク部材とを備えたことを特徴としている。これにより、ロック機構を簡易に構成することができるので、媒体支持部にコンパクトに配設することができる。
【０００９】
上記目的達成のため、本発明の液体噴射装置では、被噴射媒体に液体を噴射する液体噴射装置であって、上記各媒体供給機構を備えたことを特徴としている。また、本発明の記録装置では、被記録媒体に記録する記録装置であって、上記液体噴射装置を備えたことを特徴としている。これにより、上記各作用効果を奏する液体噴射装置又は記録装置を提供することができる。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１及び図２は、本発明の一実施の形態に係る記録装置の１つであるインクジェット式プリンタの外観構成の全体を斜め前方及び後方から見た斜視図、図３は、その内部構成の概略を示す斜視図、図４は、その内部構成の概略を示す断面側面図である。このインクジェット式プリンタ１００は、例えばＬ判／２Ｌ判、ハガキ、ＪＩＳ規格のＡ４判、Ａ３判ノビ、Ａ２判等のサイズの単票紙（以下、単に用紙（被供給媒体、被噴射媒体、被記録媒体）という）にインク（液体）により記録することができる機能を備えている。
【００１２】
このインクジェット式プリンタ１００は、図１及び図２に示すように、全体が略直方体状のハウジング１０１で覆われている。そして、ハウジング１０１の図１に示す上面右前側には操作部１１０が配設され、図１に示す上面左前側にはカートリッジ収納部１２０が配設されている。更に、図１に示す上面後側には本発明の特徴的な部分を含む第１リア給紙部（媒体供給機構）１３０が配設され、図２に示す背面側には第２リア給紙部１４０が配設されている。そして、図１に示す前面側には排紙部１５０とフロント給紙部１６０が配設され、図１に示す前面右側には廃インク回収部１７０が配設されている。また、このインクジェット式プリンタ１００の内部には、図３及び図４に示す用紙搬送部１８０、図２及び図４に示す制御部１９０並びに図３及び図４に示す記録部２００が配設されている。
【００１３】
そして、図１及び図２に示すように、ハウジング１０１の上面における操作部１１０及びカートリッジ収納部１２０と第１リア給紙部１３０との間には、矩形状の開口部１０２が形成されている。この開口部１０２は、略矩形平板状のプリンタカバー２１０によって覆われている。プリンタカバー２１０は、後端の回動軸を中心に図示矢印ａ方向に回動可能に取り付けられている。ユーザは、プリンタカバー２１０を持ち上げて開口部１０２を開放することにより、開口部１０２を通して用紙搬送部１８０や記録部２００等の内部機構のメンテナンス作業等を簡易に行うことができる。
【００１４】
操作部１１０は、図１及び図２に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。
【００１５】
カートリッジ収納部１２０は、図１及び図２に示すように、印刷用の各色（本例では９色）のインクを貯留している図３及び図４に示すインクカートリッジ１２１が抜き差し可能に収納されている。このカートリッジ収納部１２０は、断面がＬ字状のカートリッジカバー１２２によって覆われている。カートリッジカバー１２２は、後端の回動軸を中心に図示矢印ｂ方向に回動可能に取り付けられている。ユーザは、カートリッジカバー１２２を持ち上げてカートリッジ収納部１２０を開放することにより、インクカートリッジ１２１を簡易に交換等することができるので、作業効率を向上させることができる。
【００１６】
第１リア給紙部１３０は、自動給紙（ＡＳＦ）用であり、図１及び図２に示すように、上方に向かって矩形状に開口した第１給紙口１３１を開閉する機能と、給紙する用紙を１枚もしくは複数枚サポートする機能を併せ持った本発明の特徴的な部分である４段構造の第１ペーパーサポート（媒体支持部）１３２を備えている。この第１ペーパーサポート１３２は、後端の回動軸を中心に図示矢印ｃ方向に回動可能に取り付けられている。この第１リア給紙部１３０で給紙される用紙は、比較的薄手の用紙（例えば、厚さ０．０８ｍｍ〜０．２７ｍｍ程度の普通紙や写真用紙等）が使用される。尚、この第１ペーパーサポート１３２の詳細については、後述する。
【００１７】
第２リア給紙部１４０は、手差し給紙用であり、図２に示すように、後方に向かって矩形状に開口した第２給紙口１４１を開閉する機能と、給紙する用紙を１枚サポートする機能を併せ持った２段構造の第２ペーパーサポート１４２を備えている。この第２ペーパーサポート１４２は、下端の回動軸を中心に図示矢印ｄ方向に回動可能に取り付けられている。この第２リア給紙部１４０で給紙される用紙は、第１リア給紙部１３０における搬送角度で給紙できない厚さの用紙（例えば、厚さ０．２９ｍｍ〜０．４８ｍｍ程度の画材用紙や専用紙等）が使用される。更に、第１リア給紙部１３０は自動給紙（ＡＳＦ）用であることから給紙ローラ８２で用紙をピックアップするので、この給紙ローラ８２に紙粉が付着して蓄積されると、給紙ローラ８２に滑りが生じて給紙不良を引き起こすおそれがある。そのため、紙粉が発生し易い用紙（例えば、厚さ０．４８ｍｍ程度のＶｅｌｖｅｔ  Ｆｉｎｅ  Ａｒｔ  Ｐａｐｅｒや厚さ０．４６ｍｍ程度のＵｌｔｒａ  Ｓｍｏｏｔｈ  Ｆｉｎｅ  Ａｒｔ  Ｐａｐｅｒ）についても、第２リア給紙部１４０で手差し給紙させる必要がある。
【００１８】
ユーザは、インクジェット式プリンタ１００の使用前においては、第２ペーパーサポート１４２の図示上部に指を掛けて第２ペーパーサポート１４２を押し下げて多段部分を引き出すことによりセッティングが完了するので、着脱式のペーパーサポートの場合に必要な保管や管理等が不要となる。更に、多段構造の第２ペーパーサポート１４２であるので、種々のサイズの給紙する用紙を確実にサポートすることができる。また、インクジェット式プリンタ１００の使用後においては、第２ペーパーサポート１４２を多段部分を押し込んで閉じることにより第２給紙口１４１を塞ぐことができるので、プリンタ本体内への埃の侵入を防止することができると共に、第２ペーパーサポート１４２をコンパクトに格納しておくことができる。
【００１９】
排紙部１５０は、図１に示すように、前方に向かって矩形状に開口した排紙口１５１を開閉する機能と、排紙される用紙を１枚もしくは複数枚スタックする機能を併せ持った図３に示す第１スタッカ５１と第２スタッカ５２の２段構造のスタッカ１５２を備えている。第１スタッカ５１は、第２スタッカ５２の先端側で回動軸を中心に図示矢印ｅ方向に回動可能に取り付けられている。第２スタッカ５２は、排紙口１５１に対して斜め上下に平行移動して突出・格納可能なように取り付けられている。ユーザは、インクジェット式プリンタ１００の使用前においては、第１スタッカ５１の上部に指を掛け第１スタッカ５１を手前に回動させて排紙口１５１を開け、第１スタッカ５１の先端を指で摘んで引き出し第２スタッカ５２を斜め上方へ平行移動させて突出させることによりセッティングが完了するので、着脱式のスタッカの場合に必要な保管や管理等が不要となる。更に、多段構造のスタッカ１５２であるので、種々のサイズの排紙される用紙を確実に積層載置することができ、また、記録後の用紙は常に前面側から排紙されるので、ユーザは用紙を容易に取り出すことができる。また、インクジェット式プリンタ１００の使用後においては、第１スタッカ５１の先端を手で押し込むことにより第２スタッカ５２を斜め下方へ平行移動させて格納すると共に、第１スタッカ５１に手を添えて第１スタッカ５１を後方へ回動させて排紙口１５１を塞ぐことができるので、プリンタ本体内への埃の侵入を防止することができると共に、スタッカ１５２をコンパクトに格納しておくことができる。
【００２０】
フロント給紙部１６０は、手差し給紙用であり、図３に示すように、排紙口１５１におけるスタッカ１５２の上方に配設された給紙トレイ１６１を備えている。この給紙トレイ１６１は、排紙口１５１に対して水平に移動可能に設けられている。このフロント給紙部１６０で給紙される用紙は、搬送時に折り曲げることが不可能な比較的厚手の用紙（例えば、厚さ１．２ｍｍ程度のマットボード紙等）が使用される。ユーザは、インクジェット式プリンタ１００の使用前においては、給紙トレイ１６１の先端を軽く押し込むことにより、給紙トレイ１６１のストッパが外れて給紙トレイ１６１が排紙口１５１から突出する。また、インクジェット式プリンタ１００の使用後においては、給紙トレイ１６１の先端を軽く押し込むことにより、給紙トレイ１６１のストッパが掛かって給紙トレイ１６１が排紙口１５１内に格納される。従って、給紙トレイ１６１の配設スペース効率を高めることができる。
【００２１】
廃インク回収部１７０は、図１〜図３に示すように、廃インク等を貯留する廃インクタンク１７１が抜き差し可能に収納されている。この廃インクタンク１７１は、記録ヘッド２０２のクリーニング処理時やインクカートリッジの交換時に廃棄される廃インク等を貯留する。ユーザは、廃インクタンク１７１に廃インク等が一杯に溜まったときは、その廃インクタンク１７１を引き出して新しい廃インクタンク１７１を差し込むのみで良いので、廃インクタンク１７１の交換作業を簡易に行うことができる。
【００２２】
用紙搬送部１８０は、図３及び図４に示すように、第１リア給紙部１３０及び第２リア給紙部１４０から排紙部１５０に掛けて配設されており、自動給紙機構１８１、搬送機構１８２、排紙機構１８３を備えている。自動給紙機構１８１は、図４に示すように、第１ペーパーサポート１３２にサポートされている用紙を給送するために持ち上げるホッパ８１、このホッパ８１により持ち上げられた用紙を取り出す給紙ローラ８２、この給紙ローラ８２により重送された用紙を１枚のみに分離するリタードローラ８３、このリタードローラ８３により分離された残りの用紙をホッパ８１へ戻す紙戻しレバー８４等を備えている。
【００２３】
ホッパ８１は、用紙が載置可能な平板状に形成されて後壁と略平行に配設されており、下端が給紙ローラ８２の近傍に位置し、上端が後壁頂部に近接して位置するように配設されている。そして、ホッパ８１は、後壁に一端が取り付けられた図示しない圧縮バネの他端が下端側の裏面に取り付けられており、この圧縮バネの伸縮により上端側を中心に下端側が旋回するように配設されている。このホッパ８１には、積重される用紙の主走査方向の一端側をガイドするエッジガイド１１（図５参照）と、積重される用紙の主走査方向の他端側を基準端に規定してガイドする基準端ガイド１２（図５参照）とが配設されている。エッジガイド１１は、用紙のサイズに応じて図５に示す符号Ｓで示した方向ヘ手動でスライド可能に配設されている。
【００２４】
給紙ローラ８２は、断面の一部が切り欠かれたＤ字状に形成されてホッパ８１の下端近傍に配設されており、間欠的に回転してホッパ８１により持ち上げられた用紙を摩擦給送するようになっている。リタードローラ８３は、給紙ローラ８２と当接可能に配設されており、給紙ローラ８２により用紙が重送されたときに最上層の用紙のみを下層の用紙から摩擦分離するようになっている。紙戻しレバー８４は、爪状に形成されて給紙ローラ８２の近傍に配設されており、リタードローラ８３により分離された下層の用紙を爪に掛けてホッパ８１へ戻すようになっている。
【００２５】
搬送機構１８２は、図４に示すように、記録動作に同期して副走査方向に用紙を送る紙送りローラ８５とその従動ローラ８６等が配設されている。紙送りローラ８５は、プラテン２０３の搬送上流側に配設されており、給紙ローラ８２により給送される用紙を従動ローラ８６と共に挟持してプラテン２０３へ送り出すようになっている。排紙機構１８３は、図４に示すように、排紙ローラ８７と第１ギザローラ８８ａ及び第２ギザローラ８８ｂ等を備えている。第１ギザローラ８８ａは、プラテン２０３の搬送下流側に配設され、第２ギザローラ８８ｂと排紙ローラ８７は、第１ギザローラ８８ａの搬送下流側に対向配設されており、プラテン２０３を通過してくる用紙を先ず第１ギザローラ８８ａで排送し、続いて第２ギザローラ８８ｂと排紙ローラ８７で挟持してスタッカ１５２上へ排紙するようになっている。尚、第１ギザローラ８８ａ及び第２ギザローラ８８ｂは、図示しない同一の保持部材により保持されている。
【００２６】
制御部１９０は、図４に示すように、プリンタコントローラを構成するメイン基板１９１を備えている。このメイン基板１９１は、図示しないＣＰＵ、ＲＯＭ、ＲＡＭ、ＡＳＩＣ等の制御素子や記憶素子、及びその他の各種回路素子が装着されている。そして、プリントエンジンを構成する用紙搬送部１８０や記録部２００等を制御するようになっている。記録部２００には、図４に示すように、記録動作に同期して主走査方向に移動するキャリッジ２０１、記録動作に同期してインクを吐出する記録ヘッド２０２と、記録時の用紙を平坦に保持するプラテン２０３等が配設されている。キャリッジ２０１は、図３に示すように、プラテン２０３の上方でキャリッジガイド軸２０４に貫装されてキャリッジベルト２０５に連結されており、図示しないキャリッジモータによってキャリッジベルト２０５が作動すると、キャリッジベルト２０５の動きに連行され、キャリッジガイド軸２０４に案内されて往復移動するようになっている。
【００２７】
記録ヘッド２０２は、図４に示すように、プラテン２０３と所定の間隔が空くようにしてキャリッジ２０１に搭載されており、２種類のブラック、例えばフォトブラックとマットブラックのインクと、イエロー、シアン、ライトシアン、マゼンタ、ライトマゼンタ、グレー、レッドの７色のインクをそれぞれ吐出することができる。即ち、記録ヘッド２０２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。プラテン２０３は、紙送りローラ８５と排紙ローラ８７の間であって記録ヘッド２０２と対向するように配設されており、搬送されてくる用紙を面支持するようになっている。次に、本発明の特徴的な部分である第１ペーパーサポート１３２の詳細について、更に図を参照して説明する。
【００２８】
図５及び図６は、上記第１ペーパーサポート１３２とその周辺部を前面側から見た斜視図、図７は、それを背面側から見た斜視図である。図５に示すように、第１ペーパーサポート１３２は、自動給紙機構１８１のホッパ８１の上部において図示矢印ｃ方向に回転可能に軸支持されている。そして、図６及び図７に示すように、第１ペーパーサポート１３２は、用紙の裏面をサポートする第１サポート（第一の媒体支持部）３１、第２サポート（第二の媒体支持部）３２、第３サポート（第二の媒体支持部）３３及び第４サポート（第二の媒体支持部）３４を備えている。尚、第１ペーパーサポート１３２は、４段構造に限られるものでは無く、３段以下もしくは５段以上の複数段構造としても良い。
【００２９】
第１サポート３１は、中空平箱状に形成されている。第２サポート３２は、第１サポート３１より支持幅が小さい平板状に形成されて第１サポート３１の内部で上下にスライド自在に配設されている。第３サポート３３は、第２サポート３２より支持幅が小さい平板状に形成されて第２サポート３２の背面側で上下にスライド自在に配設されている。第４サポート３４は、第３サポート３３より支持幅が小さい平板状に形成されて第３サポート３３の背面側で上下にスライド自在に配設されている。これにより、第２サポート３２は、第１サポート３１に対し格納・引出可能であり、第３サポート３３は、第２サポート３２に対し格納・引出可能であり、第４サポート３４は、第３サポート３３に対し格納・引出可能である。
【００３０】
このような構成の第１ペーパーサポート１３２の開状態、即ち後方へ傾斜して第１給紙口１３１の縁部に当接して停止した状態は、第１ペーパーサポート１３２の自重により保たれている。このため、開状態の第１ペーパーサポート１３２に何らかの外力が閉方向に掛かって第１ペーパーサポート１３２が前方に傾斜するまで回動した場合、第１ペーパーサポート１３２は自重により閉方向に向かって回動する。特に、第１ペーパーサポート１３２の各段が引き出された状態では、重心が高いために上記現象が生じ易い。このような場合、第１ペーパーサポート１３２は第１給紙口１３１の縁部に衝突して破損するおそれがある。そこで、第１ペーパーサポート１３２の開状態を保持するロック機構９０が配設されている。以下、図を参照してロック機構９０について詳述する。
【００３１】
図８（Ａ）、（Ｂ）は、上記ロック機構９０の第１ペーパーサポート１３２における配置状態を背面側から見た一部断面平面図、図９（Ａ）、（Ｂ）及び図１０（Ａ）、（Ｂ）は、上記ロック機構９０の動作状態を示す図である。このロック機構９０は、略矩形板状のレバー部材９１と捩りコイルバネ（付勢手段）９２と凸状のカム部材９３を備えている。レバー部材９１は、第１サポート３１の図８（Ａ）、（Ｂ）に示す左側端に沿うように内蔵されており、一端には第１サポート３１の図９（Ａ）及び図１０（Ａ）に示す右外側に向く凸部９１ａが形成され、他端側の内側面は山状部９１ｂに形成されている。そして、レバー部材９１の略中央は、凸部９１ａが用紙の給送方向と直交する方向に揺動自在となるように回動自在に軸支持されている。捩りコイルバネ９２は、円環状のバネ本体部９２ａがレバー部材９１の略中央に嵌め込まれ、バネ一端部９２ｂが第１サポート３１の図９（Ａ）及び図１０（Ａ）に示す右側端に係止され、バネ他端部９２ｃがレバー部材９１の他端側に係止されている。この捩りコイルバネ９２は、開拡方向に付勢するように配置、即ち図９（Ａ）に示す矢印ａ方向にレバー部材９１を常に付勢するように配置されている。カム部材９３は、第２サポート３２の内部に形成されている用紙の給送方向に延びるリブ３２ａに突設されている。このカム部材９３は、第２サポート３２を第１サポート３１から引出すときはレバー部材９１の山状部９１ｂから離間し、第２サポート３２を第１サポート３１に収納するときはレバー部材９１の山状部９１ｂに当接して押圧するように形成されている。尚、図ではロック機構９０は第１ペーパーサポート１３２の図８（Ａ）、（Ｂ）に示す左側端に配置されているが、図８（Ａ）、（Ｂ）に示す右側端もしくは両側端に配置しても良い。
【００３２】
このような構成によれば、ユーザが第２サポート３２を第１サポート３１から引出したときは、カム部材９３がレバー部材９１の山状部９１ｂから離間するので、レバー部材９１の一端側（もしくは「凸部９１ａ側」）が、捩りコイルバネ９２の付勢力により第１サポート３１の図８（Ａ）に示す左側端側へ揺動する。そして、レバー部材９１の凸部９１ａが、第１サポート３１の図８（Ａ）に示す左側端から飛び出して、図９（Ａ）、（Ｂ）に示すようにホッパ８１の側壁に設けられている長穴部９４内に嵌り込んだ状態となる。一方、ユーザが第２サポート３２を第１サポート３１に収納するときは、カム部材９３がレバー部材９１の山状部９１ｂに当接して押圧するので、レバー部材９１の一端側（もしくは「凸部９１ａ側」）が、捩りコイルバネ９２の付勢力に対抗して第１サポート３１の図８（Ｂ）に示す右側端側へ揺動する。そして、レバー部材９１の凸部９１ａが、図１０（Ａ）に示すようにホッパ８１の側壁に設けられている長穴部９４から抜け出して、第１サポート３１の図８（Ｂ）に示す左側端内に入り込んだ状態となる。
【００３３】
ユーザは、インクジェット式プリンタ１００の使用前においては、図５に示すように、第１ペーパーサポート１３２の穴１３２ａに指を掛け、第１ペーパーサポート１３２を上方に旋回させて第１給紙口１３１を開く。そして、図６に示すように、第２サポート３２を第１サポート３１から引き出し、第３サポート３３を第２サポート３２から引き出し、第４サポート３４を第３サポート３３から引き出す。尚、各サポート３１、３２、３３、３４の引き出しは、使用用紙のサイズによって任意として良い。従って、着脱式のペーパーサポートの場合に必要なプリンタ本体への取り付け作業や取り外し作業が不要となるので、セッティングを簡易に行うことができる。そして、第２サポート３２を第１サポート３１から引き出すとき、図９（Ａ）に示すように、カム部材９３がレバー部材９１の山状部９１ｂから離間するので、レバー部材９１の一端側（もしくは「凸部９１ａ側」）は捩りコイルバネ９２の付勢力により第１サポート３１の図示右側端側へ揺動する。そして、レバー部材９１の凸部９１ａが、第１サポート３１の図示右側端から飛び出して、ホッパ８１の側壁に設けられている長穴部９４内に嵌り込んでロック作動状態となる。従って、開状態の第１ペーパーサポート１３２に何らかの外力が閉方向に掛かっても、ロック機構９０が第１ペーパーサポート１３２の閉動作を規制しているので開状態を維持することができ、第１ペーパーサポート１３２が第１給紙口１３１の縁部に衝突して破損してしまうような事態を防止することができる。
【００３４】
また、インクジェット式プリンタ１００の使用後においては、第４サポート３４を第３サポート３３に押し込み、第３サポート３３を第２サポート３２に押し込み、第２サポート３２を第１サポート３１に押し込む。そして、第１ペーパーサポート１３２を下方に旋回させて第１給紙口１３１を閉じる。従って、第１給紙口１３１を塞ぐことができるので、プリンタ本体内への埃の侵入を防止することができると共に、第１ペーパーサポート１３２をコンパクトに格納しておくことができるので、占有スペースを小さくすることができる。また、着脱式のペーパーサポートの場合に必要な保管や管理等が不要となるので、第１ペーパーサポート１３２の紛失等のおそれも無い。そして、第２サポート３２を第１サポート３１に押し込むとき、図１０（Ａ）、（Ｂ）に示すように、カム部材９３がレバー部材９１の山状部９１ｂに当接して押圧するので、レバー部材９１の一端側（もしくは「凸部９１ａ側」）は捩りコイルバネ９２の付勢力に対抗して第１サポート３１の図１０（Ａ）に示す左側端側へ揺動する。そして、レバー部材９１の凸部９１ａが、ホッパ８１の側壁に設けられている長穴部９４から抜け出して、第１サポート３１の図示右側端内に入り込んでロック解除状態となる。従って、第１ペーパーサポート１３２を下方に旋回させて第１給紙口１３１を閉じることができる。
【００３５】
図１１は、ロック機構の別の形態を前面側から見た断面図である。このロック機構９５は、第１サポート３１の一側に上記ロック機構９０を配置し、第１サポート３１の他側には図示していないがレバー部材９１のみを配置し、第１サポート３１の両側のレバー部材９１を連動させる構成が付加されている。このロック機構９５は、第１サポート３１の両側のレバー部材９１に接続されたリンク機構９６を備えている。このリンク機構９６は、回動部材９７と２本のアーム部材９８、９９を備えている。回動部材９７は、棒状に形成されており、軸方向中央部が第１サポート３１の略中央に回動自在に取り付けられている。アーム部材９８は、一端が回動部材９７の一端に略直角をなすように接続され、他端が一側のレバー部材９１の回動軸よりも上部に接続されている。同様に、アーム部材９９は、一端が回動部材９７の他端にアーム部材９８とは逆方向に略直角をなすように接続され、他端が他側のレバー部材９１の回動軸よりも上部に接続されている。従って、上述したロック機構９０の動作に他側のレバー部材９１を連動させることができるので、第１サポート３１の両側にロック機構９０を設ける場合と比較して低コストで且つ簡易な構成とすることができる。
【産業上の利用可能性】
【００３６】
記録装置としてインクジェット式プリンタを例に説明したが、記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００３７】
【図１】本発明の一実施の形態に係る記録装置の１つであるインクジェット式プリンタの外観構成の全体を斜め前方から見た斜視図である。
【図２】図１のプリンタの外観構成の全体を斜め後方から見た斜視図である。
【図３】図１のプリンタの内部構成の概略を示す斜視図である。
【図４】図１のプリンタの内部構成の概略を示す断面側面図である。
【図５】図１のプリンタの第１ペーパーサポートとその周辺部を前面側から見た第１の斜視図である。
【図６】図１のプリンタの第１ペーパーサポートとその周辺部を前面側から見た第２の斜視図である。
【図７】図６を背面側から見た斜視図である。
【図８】図６の第１ペーパーサポートのロック機構の配置状態を背面側から見た一部断面平面図である。
【図９】図８のロック機構の動作状態を示す第１の図である。
【図１０】図８のロック機構の動作状態を示す第２の図である。
【図１１】図６の第１ペーパーサポートのロック機構の別の形態を前面側から見た断面図である。
【符号の説明】
【００３８】
１１  エッジガイド、１２  基準端ガイド、３１  第１サポート、３２  第２サポート、３２ａ  リブ、３３  第３サポート、３４  第４サポート、８１  ホッパ、８２  給紙ローラ、８９  給紙フレーム、９０、９５  ロック機構、９１  レバー部材、９２  捩りコイルバネ、９３  カム部材、９４  長穴、９６  リンク機構、９７  回動部材、９８、９９  アーム部材、１００  インクジェット式プリンタ、１０１  ハウジング、１０２  開口部、１１０  操作部、１２０  カートリッジ収納部、１３０  第１リア給紙部、１３１  第１給紙口、１３２  第１ペーパーサポート、１３２ｂ  回転軸、１４０  第２リア給紙部、１５０  排紙部、１６０  フロント給紙部、１７０  廃インク回収部、１８０  用紙搬送部、１８１  自動給紙機構、１９０  制御部、２００  記録部、２１０  プリンタカバー
【図１】
2008023838.tif 000003
【図２】
2008023838.tif 000004
【図３】
2008023838.tif 000005
【図４】
2008023838.tif 000006
【図５】
2008023838.tif 000007
【図６】
2008023838.tif 000008
【図７】
2008023838.tif 000009
【図８】
2008023838.tif 000010
【図９】
2008023838.tif 000011
【図１０】
2008023838.tif 000012
【図１１】
2008023838.tif 000013